(57)【要約】【課題】光ファイバの外被の剥離法について、従来は、罫書き作業、剥離作業とも人手によって行われていた。この作業を自動化するに当たって、処理数量、対象になるケーブルの外被の径、厚さ、材質等の仕様や剥離後の仕上がり具合についての性能を満足する光ファイバケーブルの外被剥離装置が必要になっている。処理数量については、単数だけでなく複数本纏めて扱えること、対象ケーブルの仕様ついては広範囲に対応できること、また、これに対する装置は、簡単な操作で行えることであった。【解決手段】光ファイバケーブルの外被除去装置は、単数または、複数本のケーブルを同時に挿入可能で、ケーブルの径、外被の厚さや材質などの広範囲の仕様に適応出来る構造で、ケーブルの挿入と剥離後の引き出し作業を除いては、自動操作で行うようにした。また、これらのケーブル仕様に適合した、罫書き用のカッタホールダの交換作業もワンタッチで行える構造で、取り扱いも容易とした。【選択図】    図１
2004309990.tif 000002
【特許請求の範囲】
【請求項１】
光ファイバ外被除去装置において、複数本のケーブルを並べて挿入出来る挿入台と、ケーブルの外被剥離部分を罫書くことが出来る罫書き機構と、ケーブルの外被剥離部分を固定するクランプ機構と、剥離された外被をノズルでエアーブローを行い回収ケースに集める外被回収機構を備え、罫書き機構は少なくとも一方にカッターを設けた上下固定台とからなり、ケーブルを上下固定台に挟んだ状態で互いに反対方向に、リンク機構を介して往復水平運動させて、ケーブルを回転させる機構からなる光ファイバ外被除去装置。
【請求項２】
光ファイバ外被除去方法において、複数本のケーブルを並べて挿入出来る挿入台と、ケーブルの外被剥離部分を罫書くことが出来る罫書き機構と、ケーブルの剥離される部分を固定するクランプ機構と、剥離された外被をノズルでエアーブローを行い回収ケースに集める外被回収機構を備え、罫書き機構は少なくとも一方にカッターを設けた上下固定台とからなり、ケーブルを挿入台に挿入後、一方の固定台を移動させてケーブルを挟んだのち、互いに反対方向にリンク機構を介して往復水平運動をすることにより、ケーブルを回転させて外被を罫書いた後、ケーブルの剥離部をクランプし、人手でケーブルを引き出して、外被を剥離する光ファイバ外被除去方法。
【請求項３】
前記光ファイバ外被剥離部分の罫書き機構において、カッタホールダがワンタッチで交換出来る構造を有する請求項１の光ファイバ外被除去装置。
【発明の詳細な説明】
【０００１】
【発明の属する技術分野】
本発明は、光ファイバケーブルの外側の剥離除去に関する除去装置及び除去方法についての発明である。
【０００２】
【従来の技術】
光ファイバケーブルに関して、機械的装置で剥離除去する方法は、現在採用されておらず、剥離する部分を機械あるいは人為的に罫書いたあと、外被を手作業で剥離していた。
【０００３】
この場合、複数本の剥離除去を同時に行うことが出来ず、手間もかかり、剥離部分の仕上がりに問題が発生することが多々あった。
【０００４】
【発明が解決しようとする課題】
手作業時の危険を回避するとともに、作業能率の向上と、剥離後の剥離部分の仕上がり具合の向上を計る。
【０００５】
【課題を解決するための手段】
第１の発明は、手作業による罫書き、外被剥離操作をすることなく、光ファイバケーブル８の径、外被の厚さと材質など広範囲な仕様に適応出来る構造で、光ファイバケーブル８の挿入と剥離後の引き出し作業の他は、自動操作で行える剥離除去装置１であることを特徴とする。
【０００６】
第２の発明は、前記光ファイバケーブル剥離部分の罫書き機構において、ケーブル太さ、外被の厚さや材質などの広範囲な仕様に対して、対応する種々のカッタホールダ１６を用意しておく。このため、交換作業は容易に行える構造であることが必要である。永久磁石１８とボールプランジャー１７を罫書き用上側固定台１１側に組み込みことで、交換容易な構造になり、ワンタッチで行えることを特徴とする。
【０００７】
【発明の作用および効果】
第１の発明では、手作業による罫書き、外被剥離操作をなくし、光ファイバケーブル８の太さ、外被の厚さと材質など広範囲な仕様に適応出来る構造とし、光ファイバケーブル８の供給と剥離後の引き出し作業の他は、自動操作で光ファイバケーブル８の外被を罫書き剥離することができる。
【０００８】
第２の発明では、前記光ファイバケーブル８の剥離部分の罫書き機構３において、ケーブル太さ、外被の厚さや材質などの広範囲な仕様に対して、対応する種々のカッタホールダ１６を用意しておく。このため、交換作業は容易に行える構造であることが必要である。永久磁石１８とボールプランジャー１７を罫書き用上側固定台１１側に組み込みことで、交換容易な構造になり、ワンタッチで行うことができる。
【０００９】
【発明の実施の形態】
以下、発明の実施の形態につき、図面に従って構造、動作について説明する。
【００１０】
図１は、光ファイバケーブルの外被除去装置１の剥離、回収側から視た、全体を示す斜視図である。主に、罫書き部、剥離部クランプ部、光ファイバケーブルのストッパ部７、剥離された外被の回収ケース部３２などの形状を示している。
【００１１】
以下、装置の機械的構成を順次説明する。
【００１２】
ケーブル挿入部の構造は図２のａ）、ｂ）の挿入台部２、図５の７に示す、挿入台２と先端位置決めストッパ７からなる。挿入台２は図２のａ）、ｂ）の構造を有し、単数または、複数本のケーブルを同時に挿入可能にし、外被の径や材質によって、挿入台を選定することができる。
【００１３】
外被罫書き部３の動作及び構造は図３ａ）、ｂ）、ｃ）、図５の側面図に示す。まず、上側のカッタホールダ１６がセットされた罫書き用上側固定台１１をエアーシリンダ１４で下降させ、ケーブル８を下側固定台１２との間に挟んだあと、これら双方の固定台を互いに逆方向にエアーシリンダ１５で、リンク機構１３を介して往復水平運動させることにより、ケーブル８を回転させ、エッジ（カッタホールダ１６にセットされている）によって外被の厚さだけ罫書く。
【００１４】
さらに、往復水平運動部の機構について説明する、罫書き用上側固定台１１と下側固定台１２を往復水平運動用リンク機構１３で結び、下側固定台１２をエアーシリンダ１５で往復水平運動をさせ、リンク機構１３を介して、上下の固定台１１，１２を互いに逆方向に往復水平運動させる。
【００１５】
カッタホールダ１６の構造は図６ａ）、ｂ）に示す。罫書き用上側固定台１１に取り付けられたカッタホールダ１６は、光ファイバケーブル８の太さ、外被の厚さや材質などの広範囲な仕様に対して、種々のカッタホールダ１６を用意しておく。
【００１６】
用意された種々のカッターホルダ１６はそのエッジ部の高さ、幅を各仕様に対応するよう、予めホールダ１６にセットしておき、ケーブル８仕様に合わせて、カッタホールダ１６の交換作業を行う。交換作業は、罫書き用上側固定台１１に埋め込まれた永久磁石１８とボールプランジャ１７の作用によって、ケーブル仕様に適合したカッタホールダ１６にワンタッチで容易に交換できる。
【００１７】
外被剥離部の構造は図４のクランプ機構４に示す。光ファイバケーブル８の外被を罫書いたあと、ケーブル８の剥離部分をエアーシリンダ２２により剥離部分クランプ用上側固定台２１を下降させて、下側固定台１２との間でクランプした後、ケーブル８を手前に人手で引き出し剥離する。剥離後、エアーシリンダ２２を解放し、上側固定台２１のガイド軸に取り付けられた圧縮バネ２３によって、エアーシリンダ２２が戻され、上側固定台２１が上昇して、クランプは解除される。
【００１８】
剥離された外被の回収部の構造５は図５の外被除去装置側面図に示す。人手によって、ケーブル８が引き抜かれ剥離された外被は、剥離部のクランプ機構４の解除と同時か、その前に回収シュート３１が、エアーシリンダ３３によって、水平から傾斜した状態に移動し、剥離された外被を回収ケース３２に集める。
【００１９】
次に、運転の操作について、工程順に説明する。スタート後、光ファイバケーブル８を引き出す作業を除いて、図示のないシーケンサで自動的に各工程の操作を行う。
【００２０】
光ファイバケーブル８を単数、または複数本、先端を揃え、挿入台２の上に並べてストッパ７に当たるまで挿入する。図示のないスタートスイッチを入れ、装置がスタートした後、順次各工程を自動的に操作する。
【００２１】
光ファイバケーブル８の罫書き工程は、上下で互いに逆方向に往復水平運動する一対の固定台１１，１２のうち、下側の固定台１２の上に並べられた単数、または複数本のケーブル８に、カッタホールダ１６が取り付けられた上側の固定台１１を下降させて、この上下一対の固定台１１，１２にクランプする。
【００２２】
下側の固定台１２をエアーシリンダ１５で往復運動させると、リンク機構１３を介して、上側の固定台１１は下側の固定台１２とは逆方向に往復水平運動する。クランプされたケーブル８は上下固定台１１，１２の間で、回転運動を行い、カッタホーダ１６のエッジで、剥離箇所の罫書き作業が行われる。罫書きの深さは、予め外被の厚さに適合するカッタホールダ１６をセットしておく。
【００２３】
外被剥離工程は、罫書き作業終了後、ケーブル８の剥離される部分を、剥離部分クランプ用上側固定台２１を下降させてクランプする。その後で、ケーブル８の剥離外被部をクランプ部に残して、人手によってケーブルを引き出す。
【００２４】
クランプ部に残されている、剥離された外被部は、剥離用の上側固定台２１がエアーシリンダ２２の作動解放で、上側固定台２１（及び１１）のガイド軸に取り付けられた圧縮バネ２３の作用で、エアーシリンダ２２は戻され、上側固定台２１は上昇して、クランプから解放される。
【００２５】
剥離部分のクランプ解除と同時か、その前に回収シュート３１をエアーシリンダ３３によって、水平から傾斜した状態に移動させ、剥離した外被部分を回収ケース３２に集める。この時、シュート部分をエアーノズルでブローして、静電気での付着を防止し回収する。
【図面の簡単な説明】
【図１】本発明の実施の形態を示す光ファイバ外被除去装置の斜視図
【図２】光ファイバケーブルの挿入台を示す斜視図
ａ）代表的な光ファイバケーブル挿入台の斜視図
ｂ）複数本のケーブル間に間隙を持たせた挿入台の斜視図
【図３】光ファイバ外被剥離部分の罫書き機構作動図（図１のＸ−Ｘ矢視図）
ａ）ケーブルが挿入された状態を示す作動図
ｂ）下側固定台が水平運動で最も右に移動した状態を示す作動図
ｃ）下側固定台が水平運動で最も左に移動した状態を示す作動図
【図４】外被剥離部分を固定した状態を示すクランプ機構の断面図（図１のＹ−Ｙ矢視図）
【図５】外被除去装置の回収シュートと回収ケースを示す側面図
【図６】罫書き用カッタホールダと固定台の取り付け状態を示す断面図
ａ）固定台とホールダの断面図（ｂ）図のＷ−Ｗ矢視図）
ｂ）固定台とホールダの正面図
【符号の説明】
１  外被除去装置
２  ケーブル挿入台
３  外被剥離部罫書き機構
４  外被剥離部分クランプ機構
５  剥離外被回収機構
６  架台
７  剥離長位置決め用ストッパ
８  光ファイバケーブル
１１  罫書き用上側固定台
１２  罫書き用下側固定台
１３  往復水平運動用リンク機構
１４  罫書き用上側固定台の上下移動用エアーシリンダ
１５  往復水平運動用エアーシリンダ
１６  カッタホールダ
１７  ボールプランジャ
１８  永久磁石
２１  剥離部分クランプ用上側固定台
２２  剥離部分クランプ用上側固定台下降用エアーシリンダ
２３  前項クランプ解除用圧縮バネ
３１  剥離外被回収シュート
３２  剥離外被回収ケース
３３  剥離外被回収シュート移動用エアーシリンダ
【図１】
2004309990.tif 000003
【図２】
2004309990.tif 000004
【図３】
2004309990.tif 000005
【図４】
2004309990.tif 000006
【図５】
2004309990.tif 000007
【図６】
2004309990.tif 000008